(57)【特許請求の範囲】
【請求項１】
ロッドの先端にストッパヘッドを付設し、扉の開き方向に向けて扉枠側に設置するエアシリンダと、前記ストッパヘッドに対向するように扉側に付設するストッパブロックとを備えてなり、前記ストッパヘッド、ストッパブロックには、それぞれ互いに吸着する磁石を取り付け、前記ストッパヘッド側の磁石は、前記ロッドの中心軸の延長線上に磁極中心を有し、前記ストッパブロック側の磁石は、前記エアシリンダの中心軸の延長線上に磁極中心を有し、前記各磁石は、それぞれの磁極中心が一致するようにして吸着し、最大に伸長して下向きに傾いて待機している前記ロッドを前記エアシリンダの中心軸上に位置決めして重力による前記ロッドの下向きの傾きを是正することを特徴とする扉用のダンパ装置。
【請求項２】
前記ストッパヘッドは、合成樹脂製とし、前記ストッパブロックは、金属製とし、前記各磁石は、前記ストッパヘッド、ストッパブロックの表面と同一平面に形成する表面側のクッション材を介して前記ストッパヘッド、ストッパブロックに埋め込むことを特徴とする請求項１記載の扉用のダンパ装置。
【請求項３】
前記ストッパブロックには、扉の開閉用のローラを装着することを特徴とする請求項１または請求項２記載の扉用のダンパ装置。
【請求項４】
前記ストッパブロックは、扉の開閉用のローラを装着するブラケットに付設することを特徴とする請求項１または請求項２記載の扉用のダンパ装置。
【発明の詳細な説明】
【０００１】
【発明の属する技術分野】
この発明は、扉を全閉させる際の衝撃を緩和することができる扉用のダンパ装置に関する。
【０００２】
【従来の技術】
自動的に全閉状態に閉まる自動閉鎖機構付きの扉は、扉が閉まる際の衝撃を緩和するために、適切なダンパ装置を設けることが特に好ましい。ただし、ここでいう扉とは、引戸形式の吊戸の他、折畳み回転扉式や、折戸式などの任意の形式の扉を含み、自動閉鎖機構付きでないものをも含むものとする。
【０００３】
従来のダンパ装置は、背圧調整機構付きのエアシリンダを扉の開き方向に向けて扉枠側に固定し、エアシリンダのロッドを扉側のストッパブロックに対向させて構成されている。そこで、このものは、扉が閉まると、扉側のストッパブロックがエアシリンダのロッドの先端に当接し、エアシリンダを押し縮めながら扉を閉じることにより、全閉時の衝撃を大きく緩和することができる。
【０００４】
【発明が解決しようとする課題】
かかる従来技術によるときは、エアシリンダは、扉の開き方向に向けてほぼ水平状態に設置されているから、伸縮ストロークが長いと、重力によりロッドが下向きに傾き、円滑な伸縮動作ができなくなったり、耐久性が著るしく劣化したりしがちであるという問題があった。
【０００５】
そこで、この発明の目的は、かかる従来技術の問題に鑑み、磁石を利用することによって、エアシリンダのロッドの下向き傾向を是正し、長期に亘りエアシリンダを円滑に動作させることができる扉用のダンパ装置を提供することにある。
【０００６】
【課題を解決するための手段】
かかる目的を達成するためのこの発明の構成は、ロッドの先端にストッパヘッドを付設し、扉の開き方向に向けて扉枠側に設置するエアシリンダと、ストッパヘッドに対向するように扉側に付設するストッパブロックとを備えてなり、ストッパヘッド、ストッパブロックには、それぞれ互いに吸着する磁石を取り付け、ストッパヘッド側の磁石は、ロッドの中心軸の延長線上に磁極中心を有し、ストッパブロック側の磁石は、エアシリンダの中心軸の延長線上に磁極中心を有し、各磁石は、それぞれの磁極中心が一致するようにして吸着し、最大に伸長して下向きに傾いて待機しているロッドをエアシリンダの中心軸上に位置決めして重力によるロッドの下向きの傾きを是正することをその要旨とする。
【０００７】
なお、ストッパヘッドは、合成樹脂製とし、ストッパブロックは、金属製とし、各磁石は、ストッパヘッド、ストッパブロックの表面と同一平面に形成する表面側のクッション材を介してストッパヘッド、ストッパブロックに埋め込むことができる。
【０００９】
さらに、ストッパブロックには、扉の開閉用のローラを装着してもよく、ストッパブロックは、扉の開閉用のローラを装着するブラケットに付設してもよい。
【００１０】
【作用】
かかる発明の構成によるときは、ストッパヘッド、ストッパブロックに埋め込む各磁石は、扉が閉まって扉側のストッパブロックがエアシリンダ側のストッパヘッドに十分近接すると、互いに吸着してエアシリンダのロッドをエアシリンダの中心軸上に積極的に位置決めすることができる。各磁石は、それぞれロッドの中心軸の延長線上、エアシリンダの中心軸の延長線上に磁極中心を有し、それぞれの磁極中心が一致するように吸着するからである。そこで、エアシリンダは、水平状態に設置されていてロッドが下向きに傾く傾向があっても、磁石を介してそれを適切に是正することができる。
【００１１】
合成樹脂製のストッパヘッドは、たとえば金属製のストッパブロックが当接しても、大きな衝撃音を発生するおそれがない。
【００１２】
表面側のクッション材を介して各磁石を埋め込めば、クッション材は、ストッパブロックがストッパヘッドに当接する際に双方の磁石が直接接触することを防ぎ、磁石を機械的に保護することができる。なお、クッション材は、非磁性体の薄板材とし、一方または双方の磁石に対して設けることができる。
【００１３】
クッション材は、ストッパヘッド、ストッパブロックの表面と同一平面に形成することにより、ストッパブロックがストッパヘッドに当接する際に過大な力が磁石に負荷されるおそれがなく、磁石を一層有効に保護することができる。
【００１４】
ストッパブロックに扉の開閉用のローラを装着すれば、ストッパブロックは、ローラ用のブラケットを兼用することができる。また、ストッパブロックをローラ用のブラケットに付設すれば、ストッパブロック用のブラケットを省略することができる。ただし、ここでいうローラとは、引戸形式の吊戸の吊りローラの他、折畳み回転扉式や折戸式の扉の開閉用のガイドローラなどを総称していうものとする。
【００１５】
【発明の実施の形態】
以下、図面を以って発明の実施の形態を説明する。
【００１６】
扉用のダンパ装置は、扉枠３０側に設置するエアシリンダ１０と、扉４１側に付設するストッパブロック２１とを備えてなる（図１、図２）。
【００１７】
扉４１は、吊りローラ４１ａ、４１ａを介し、扉枠３０の上部のガイドレール３１から前後動可能に吊下されている。すなわち、扉４１は、吊戸形式の引戸として構成されている。なお、ガイドレール３１は、ベース材３１ａを介して扉４１の閉じ方向に低く斜めに配設されており、したがって、扉４１は、重力によって自動的に閉じる自動閉鎖機構付きとなっている。ただし、扉４１は、扉枠３０に付設する図示しないキャッチ機構を介し、全開状態に保持することができる。
【００１８】
エアシリンダ１０は、ブラケット１０ａを介し、ガイドレール３１と平行に、扉４１の開き方向に向けてベース材３１ａ上に固定されている。なお、エアシリンダ１０の後部には、背圧調整機構１１が組み込まれており、エアシリンダ１０のロッド１２の先端には、ストッパヘッド１３が付設されている。ただし、ストッパヘッド１３は、合成樹脂製である。
【００１９】
ストッパブロック２１は、扉４１の開き側の吊りローラ４１ａのブラケット４１ｂに対し、エアシリンダ１０側のストッパヘッド１３に対向するようにして付設されている（図２、図３）。ストッパブロック２１は、金属製であって、支持材２１ａを介し、ブラケット４１ｂに対して横向きに取り付けられている。
【００２０】
ストッパヘッド１３、ストッパブロック２１には、それぞれ表面側のクッション材１４ａ、２２ａを介して磁石１４、２２が埋め込まれている。磁石１４、２２は、互いに異極性に配置され、ストッパヘッド１３、ストッパブロック２１が近接することにより互いに吸着することができる。すなわち、磁石１４、２２は、図３において、たとえばそれぞれの右側の面がＮ極、左側の面がＳ極であり、相対向する各面が互いに異なる磁極となっている。また、クッション材１４ａ、２２ａは、それぞれストッパヘッド１３、ストッパブロック２１と同一平面に形成されている。なお、ストッパブロック２１側の磁石２２は、エアシリンダ１０の中心軸Ｃ1 の延長線上に磁極中心を有し、ストッパヘッド１３側の磁石１４は、エアシリンダ１０のロッド１２の中心軸Ｃ2 の延長線上に磁極中心を有するものとする。
【００２１】
扉４１は、吊りローラ４１ａ、４１ａを介し、全開状態に開き（図１の実線）、全閉状態に閉じることができる（同図の二点鎖線）。また、エアシリンダ１０は、扉４１が開いているとき、図示しない内蔵のばねを介し、ロッド１２を最大に伸長させて待機している（同図の実線）。そこで、扉４１が閉まると（同図の矢印Ｋ1 方向）、扉４１が全閉状態になる前に扉４１側のストッパブロック２１がロッド１２の先端のストッパヘッド１３に当接し、以後、扉４１は、エアシリンダ１０を押し縮めながら閉まることにより（同図の二点鎖線）、全閉時に大きな衝撃音を発生するおそれがない。
【００２２】
一方、エアシリンダ１０のロッド１２は、最大に伸長して待機しているとき、下向きに傾く傾向がある（図１、図３の各実線）。しかしながら、扉４１が閉まってストッパブロック２１がストッパヘッド１３に十分近接すると、磁石１４、２２は、互いに吸着してロッド１２の中心軸Ｃ2 をエアシリンダ１０の中心軸Ｃ1 に合致させ、ロッド１２の傾きを是正することができる（図３の二点鎖線）。磁石１４、２２は、それぞれの磁極中心が中心軸Ｃ2 、Ｃ1 の延長線上にあり、それぞれの磁極中心が一致するようにして吸着するからである。そこで、エアシリンダ１０は、以後、扉４１が全閉状態まで閉まるに伴い、ロッド１２を滑らかに押し縮めることができる。
【００２３】
なお、磁石１４、２２は、扉４１を開き方向に操作することにより、簡単に分離させることができる。
【００２４】
【他の実施の形態】
扉用のダンパ装置は、回転扉式の扉４１に適用することができる（図４、図５）。
【００２５】
扉４１は、扉枠３０の一方の竪枠３３に回転支柱４２を組み込み、回転支柱４２の上端、下端に突設するアーム４２ａ、４２ａにより回転自在に支持されている。また、扉４１には、把手４１ｋが付設されている。扉枠３０の上枠３４には、ブラケット３２ａを介して下向きのガイドレール３２が組み付けられ、ガイドレール３２には、扉４１の上部に付設する上向きのガイドローラ４３が係合している。
【００２６】
扉枠３０側のストッパヘッド１３付きのエアシリンダ１０は、ブラケット１０ａ、１０ａを介し、扉４１の開き方向に向けてガイドレール３２に組み込まれている。また、扉４１側のストッパブロック２１は、ブラケット４３ａを介して扉４１に取り付けられており、ガイドローラ４３は、ストッパブロック２１に装着されている。ただし、ストッパブロック２１は、ガイドレール３２に係合し、ブラケット４３ａに対し、ガイドローラ４３の軸のまわりに回転自在となっている。ストッパヘッド１３、ストッパブロック２１には、それぞれ図２、図３と全く同様の磁石１４、２２が取り付けられている。
【００２７】
開放状態の扉４１は、図４の矢印Ｋ2 、Ｋ2 方向に回転させるとともに、ガイドローラ４３をガイドレール３２に沿って閉じ方向に進行させることにより（同図の矢印Ｋ3 方向）、ストッパブロック２１をストッパヘッド１３に当接させ、エアシリンダ１０を押し縮めながら全閉状態にまで閉じることができる。このとき、ストッパブロック２１は、ガイドレール３２に係合し、扉４１、ガイドレール３２の相対角度が変化するに伴い、ブラケット４３ａ上においてガイドローラ４３の軸のまわりに回転して、ストッパヘッド１３に対する対向姿勢を維持することができる。
【００２８】
なお、回転扉式の扉４１は、回転支柱４２、アーム４２ａ、４２ａを介して支持するとともに、ガイドレール３２と平行に配設する別のガイドレールから、スラストベアリングを介して前後動自在、回転自在に吊下してもよい。
【００２９】
扉用のダンパ装置は、折戸式の扉４１にも適用することができる（図６、図７）。扉４１は、中間のヒンジ４１ｅを介してヒンジ側、反ヒンジ側の子扉４１ｃ、４１ｃを折畳み自在に連結するとともに、扉枠３０に組み込む回転支柱４２を介し、ヒンジ側の子扉４１ｃを回転自在に支持して構成されている。なお、反ヒンジ側の子扉４１ｃには、把手４１ｋ、キャッチ４１ｆが付設されている。また、扉枠３０側の下向きのガイドレール３２には、ストッパヘッド１３付きのエアシリンダ１０が扉４１の開き方向に向けて組み込まれており、反ヒンジ側の子扉４１ｃには、ガイドレール３２に係合するガイドローラ４３、ストッパブロック２１が付設されている（図７、図８）。ただし、ガイドローラ４３は、ストッパブロック２１に装着されており、ストッパヘッド１３、ストッパブロック２１には、それぞれ図２、図３と同様の磁石１４、２２が取り付けられている。
【００３０】
全開状態の扉４１（図６の二点鎖線）は、反ヒンジ側の子扉４１ｃを回転させて子扉４１ｃ、４１ｃを開くとともに（同図の矢印Ｋ4 、Ｋ4 方向、一点鎖線）、ガイドローラ４３をガイドレール３２に沿って進行させることにより（同図の矢印Ｋ5 方向）、ストッパブロック２１をストッパヘッド１３に当接させ、エアシリンダ１０を押し縮めながら全閉状態に閉じることができる（同図の実線）。なお、この場合のストッパブロック２１も、子扉４１ｃ、ガイドレール３２の相対角度変化に伴い、ガイドローラ４３の軸のまわりに回転する。
【００３１】
【発明の効果】
以上説明したように、この発明によれば、扉枠側に設置するストッパヘッド付きのエアシリンダと、扉側のストッパブロックとを組み合わせ、ストッパヘッド、ストッパブロックにそれぞれ互いに吸着する磁石を取り付けることによって、ストッパヘッド側の磁石、ストッパブロック側の磁石は、それぞれエアシリンダのロッドの中心軸の延長線上、エアシリンダの中心軸の延長線上にある磁極中心が一致するようにして吸着し、ロッドの下向きの傾きを是正することができるから、長期に亘りエアシリンダを円滑に動作させることができるという優れた効果がある。
【図面の簡単な説明】
【図１】  全体構成正面説明図
【図２】  図１の要部拡大相当説明図
【図３】  動作説明図
【図４】  他の実施の形態を示す全体構成斜視説明図
【図５】  図４のＸ−Ｘ線矢視相当拡大縦断面図
【図６】  他の実施の形態を示す全体構成平面説明図
【図７】  図６の要部拡大正面説明図
【図８】  図６のＹ−Ｙ線矢視相当拡大縦断面図
【符号の説明】
Ｃ1 、Ｃ2 …中心軸
１０…エアシリンダ
１２…ロッド
１３…ストッパヘッド
１４…磁石
１４ａ…クッション材
２１…ストッパブロック
２２…磁石
２２ａ…クッション材
３０…扉枠
４１…扉
４１ｂ…ブラケット
【図１】
0004304683.tif 000002
【図２】
0004304683.tif 000003
【図３】
0004304683.tif 000004
【図４】
0004304683.tif 000005
【図５】
0004304683.tif 000006
【図６】
0004304683.tif 000007
【図７】
0004304683.tif 000008
【図８】
0004304683.tif 000009